(57)【要約】    【課題】  電線付き端子が組み込まれた偏平なハウジングを積層するだけで、電線を押さえることができる積層型コネクタを提供する。    【解決手段】  電線１０の端部に取りつけられた雌端子１２を平面的に並べて組み込んだ偏平なハウジング１４、１６を複数層積層してなる積層型コネクタであって、上下に隣り合うハウジング１４、１６の、上側のハウジング１６の下面に、下側のハウジング１６の電線導入部に位置する電線１０を押さえる突起３２を形成した。【選択図】      図１
2005032586.tif 000002
【特許請求の範囲】
【請求項１】
電線付き端子を平面的に並べて組み込んだ偏平なハウジングを複数層積層してなる積層型コネクタであって、上下に隣り合うハウジングの、上側のハウジングの下面に、下側のハウジングの電線導入部に位置する電線を押さえる突起を形成したことを特徴とする積層型コネクタ。
【請求項２】
請求項１記載の積層型コネクタであって、最上層にカバーが積層されており、このカバーの下面に、その下のハウジングの電線導入部に位置する電線を押さえる突起が形成されていることを特徴とする積層型コネクタ。
【請求項３】
請求項１又は２記載の積層型コネクタであって、ハウジングの両側面に、上下に隣り合うハウジングを互いに結合するフック部とフック掛け部が形成されていることを特徴とする積層型コネクタ。
【請求項４】
請求項１ないし３のいずれかに記載の積層型コネクタであって、ハウジングの上面の、各キャビティの長手方向中間部に相当する位置には開口部が形成され、ハウジングの下面の、前記開口部に相当する位置には突設部が形成されており、ハウジングを積層すると、上側のハウジングの突設部が、下側のハウジングの開口部を貫通してキャビティ内に入り込み、キャビティ内の端子の抜け止めとなることを特徴とする積層型コネクタ。
【請求項５】
請求項４記載の積層型コネクタであって、ハウジングの突設部には、その下側に積層されたハウジングの開口部の内面側の縁に係合する補助突部が形成されていることを特徴とする積層型コネクタ。
【発明の詳細な説明】
【技術分野】
【０００１】
本発明は、電線付き端子が組み込まれた偏平なハウジングを複数層積層してなる積層型コネクタに関し、特に電線押さえ手段を設けた積層型コネクタに関するものである。
【背景技術】
【０００２】
ハウジングに電線付き端子を組み込んだコネクタにおいては、振動による電線切れを防止したり、電線に引張力がかかったときの端子抜けを防止したりするために、電線押さえ手段を設けることは公知である。
【０００３】
例えば特許文献１には、ハウジングの電線導入部にヒンジ部で開閉できるように電線押さえ部材を設けることが開示されている。
【０００４】
また特許文献２には、ハウジングの電線導入部に電線と直行する方向に移動可能に電線押さえ部材を挿入しておき、ハウジングの電線導入部側を筒形のカバーに挿入すると、カバー内面の傾斜面によって電線押さえ部材が電線に向かって移動し、電線を押さえつける構造のコネクタが開示されている。
【０００５】
【特許文献１】特開平５−１３１２７号公報
【特許文献２】実開平７−１８３７６号公報
【発明の開示】
【発明が解決しようとする課題】
【０００６】
従来のコネクタにおける電線押さえ構造は、電線押さえ部材が上下に開閉したり移動したりするものであるため、ハウジングが単体であれば適用可能である。しかし偏平なハウジングを複数層積層した積層型コネクタの場合は、電線押さえ部材を上下に開閉したり移動したりするスペースがないため、従来の電線押さえ構造を適用することは困難である。
【０００７】
本発明の目的は、電線付き端子が組み込まれた偏平なハウジングを積層するだけで、電線を押さえることができる積層型コネクタを提供することにある。
【課題を解決するための手段】
【０００８】
本発明に係る積層型コネクタは、電線付き端子を平面的に並べて組み込んだ偏平なハウジングを複数層積層してなるものであって、上下に隣り合うハウジングの、上側のハウジングの下面に、下側のハウジングの電線導入部に位置する電線を押さえる突起を形成したことを特徴とするものである。
【０００９】
積層型コネクタは、上下に隣り合うハウジングが結合手段により互いに結合されるようになっているので、上記のような突起を設けておけば、下側のハウジングの上に上側のハウジングを積層するだけで（電線を押さえるための特別な作業をすることなく）、下側のハウジング内の電線を押さえつけることが可能となる。
【００１０】
積層されたハウジングの最上層にカバーが積層される場合には、このカバーの下面に、その下のハウジングの電線導入部に位置する電線を押さえる突起を形成しておけばよい。
【発明の効果】
【００１１】
本発明によれば、電線付き端子が組み込まれた偏平なハウジングを積層するだけで、電線を押さえつけることができ、積層型コネクタの組立を簡単に行うことができると共に、信頼性の高い積層型コネクタを得ることができる。
【発明を実施するための最良の形態】
【００１２】
図１は本発明に係る積層型コネクタの一実施形態を示す。図において、１０は電線、１２は電線１０の端部に圧着等の手段により取りつけられた雌端子、１４は電線付き端子１２を組み込んだ中間層ハウジング、１６は電線付き端子１２を組み込んだ状態で中間層ハウジング１４の下に積層された最下層ハウジング、１８は中間層ハウジング１４の上に積層されたカバーである。図１では図示を簡略化するため中間層ハウジング１４が１層の場合を示したが、中間層ハウジング１４は複数層積層されることが多い。中間層ハウジング１４が複数層の場合は、カバー１８は最上層の中間層ハウジングの上に積層される。
【００１３】
図２は中間層ハウジング１４を電線導入部側から見た背面図、図３は中間層ハウジング１４の平面図、図４は同じく底面図である。中間層ハウジング１４は、複数本（図示の例は８本）のキャビティ２０が平面的に並ぶように形成されたプラスチック成型体である。各キャビティ２０には図１に示すように電線付き端子１２が収容されている。
【００１４】
中間層ハウジング１４の両側面には、下半部にフック部２２が、上半部にフック掛け部２４が形成されている。図示してないが、カバー１８には中間層ハウジング１４と同様にフック部が形成されており、最下層ハウジング１６には中間層ハウジング１４と同様にフック掛け部が形成されている。したがって中間層ハウジング１４の下に最下層ハウジング１６（又は中間層ハウジング１４）を積層すると、当該中間層ハウジング１４のフック部２２がその下の層のフック掛け部に係合してハウジング同士が結合される。また中間層ハウジング１４の上にカバー１８（又は中間層ハウジング１４）を積層すると、当該中間層ハウジング１４のフック掛け部２４にその上の層のフック部が係合して中間層ハウジング１４とカバー１８（又は中間層ハウジング同士）が結合される。積層型コネクタは、このようにして隣り合う層のハウジング同士又はハウジングとカバーが簡単に結合できるようになっている。
【００１５】
また中間層ハウジング１４及び最下層ハウジング１６の上面の、各キャビティ２０の長手方向中間部に相当する位置には開口部２６が形成され、これに対応して中間層ハウジング１４及びカバー１８の下面の、上記開口部２６に相当する位置には突設部２８が形成されている。これにより、中間層ハウジング１４と最下層ハウジング１６を積層すると、中間層ハウジング１４の突設部２８が最下層ハウジング１６の開口部２６を貫通してキャビティ２０内に入り込み、最下層ハウジング１６内の雌端子１２の係止機能を発揮する。最下層ハウジング１６内の雌端子１２はランス３０によって係止されているので、開口部２６と突設部２８を設けることにより、二重の係止機能を持たせることができる。また中間層ハウジング１４とカバー１８を積層した場合、あるいは中間層ハウジング１４同士を積層した場合にも、同様に突設部２８が雌端子１２の係止機能を発揮する。このため雌端子１２の抜け止めを確実に行うことができる。また雌端子１２が半挿入の状態では、突設部２８の先端が雌端子１２に突き当たって、ハウジング１４、１６やカバー１８を積層することが出来ないので、突設部２８と開口部２６は、雌端子１２の半挿入状態を検知する役割も有している。
【００１６】
さらに中間層ハウジング１４及びカバー１８下面の、その下に積層されるハウジングの電線導入部に相当する位置には、電線押さえ用の突起３２が形成されている。このような突起３２を形成しておくと、中間層ハウジング１４と最下層ハウジング１６、中間層ハウジング１４とカバー１８、あるいは中間層ハウジング１４同士を積層するだけで、各ハウジングの電線導入部に位置する電線１０を押さえつけることができる。
【００１７】
また突設部２８の背面には、その下側に積層されたハウジングの開口部２６の内面側の縁に係合する小さな補助突部２８ａが形成されている。この補助突部２８ａは、フック２２及びフック掛け部２４により結合された上下層のハウジング１４、１６及びカバー１８を、さらに補助的に結合する役割を持っている。すなわち、補助突部２８ａは、ハウジング１４、１６及びカバー１８を積層して、突設部２８がその下の層の開口部２６を通してキャビティ２０内に入り込んだときに、開口部２６の内面側の縁に係合して、隣り合う層のハウジング同士又はハウジングとカバーを結合する働きをする。これにより、ハウジングの幅方向中間部でも上下層間に隙間があくことがなくなり、突起３２による電線押さえも確実に行える。なお補助突部２８ａは全ての突設部２８に設けてもよいが、図２のように間引きして設けてもよい。
【００１８】
以上のように構成された積層型コネクタは、例えばジョイントコネクタの雌側コネクタとして使用される。ジョイントコネクタは、複数の電線を所定の接続パターンに接続するために用いられるもので、複数の電線の端部に取りつけられた複数の雌端子をハウジング内に組み込んだ雌側コネクタと、前記雌端子に対応する雄端子を所定の接続パターンに接続した状態でケース内に組み込んだ雄側コネクタとから構成される。雌側コネクタと雄側コネクタを嵌合すると、雌側コネクタに導入されている複数の電線を一括して所定の接続パターンに接続することができる。雌側コネクタを上記のような積層型コネクタとすることにより、多数本の電線を高密度に配列してコンパクトに接続できると共に、接続すべき電線の本数に応じてハウジングの積層枚数を増減してコストダウンを図ることができる。
【図面の簡単な説明】
【００１９】
【図１】本発明に係る積層型コネクタの一実施形態を示す断面図。
【図２】図１の積層型コネクタに用いた中間層ハウジングの背面図。
【図３】同じく平面図。
【図４】同じく底面図
【符号の説明】
【００２０】
１０：電線
１２：雌端子
１４：中間層ハウジング
１６：最下層ハウジング
１８：カバー
２０：キャビティ
２２：フック部
２４：フック掛け部
２６：開口部
２８：突設部
３０：ランス
３２：電線押さえ突起
【図１】
2005032586.tif 000003
【図２】
2005032586.tif 000004
【図３】
2005032586.tif 000005
【図４】
2005032586.tif 000006